(57)【要約】  ＯＬＴは、メモリと、メモリに連結されているプロセッサであって、ＯＮＵに関連付けられた複数のチャネルのそれぞれを判定し、チャネルの中から第１のチャネルを選択し、第１のチャネルの有効化又は無効化を指示する少なくとも１つのフィールドを含む第１のメッセージを生成するように構成されるプロセッサと、プロセッサに連結されている送信機であって、第１のメッセージをＯＮＵに送信するように構成される送信機とを有する。ＯＬＴに実装されている方法であって、当該方法は、ＯＮＵに関連付けられている複数のチャネルのそれぞれを判定する段階と、チャネルの中から第１のチャネルを選択する段階と、第１のチャネルの有効化又は無効化を指示する少なくとも１つのフィールドを含む第１のメッセージを生成する段階と、第１のメッセージをＯＮＵに送信する段階とを含む、方法。
2019511885.tif 000002
【特許請求の範囲】
【請求項１】
メモリと、
前記メモリに連結されているプロセッサであって、
光ネットワークユニット（ＯＮＵ）に関連付けられた複数のチャネルのそれぞれを判定し、
前記チャネルの中から第１のチャネルを選択し、
前記第１のチャネルの有効化又は無効化を指示する少なくとも１つのフィールドを含む第１のメッセージを生成する
ように構成されるプロセッサと、
前記プロセッサに連結されている送信機であって、前記第１のメッセージを前記ＯＮＵに送信するように構成される送信機と
を備える、
光回線終端装置（ＯＬＴ）。
【請求項２】
前記チャネルのそれぞれは、前記ＯＮＵ内の複数の送受信機のうちの１つに関連付けられている、請求項１に記載のＯＬＴ。
【請求項３】
前記チャネルのそれぞれは異なる波長に対応する、請求項１又は２に記載のＯＬＴ。
【請求項４】
前記少なくとも１つのフィールドは、前記第１のチャネルを特定するチャネル特定（ＣＨＩＤ）フィールドを含む、請求項１から３のいずれか一項に記載のＯＬＴ。
【請求項５】
前記プロセッサは更に、
前記ＯＮＵ内の複数の送受信機の容量よりも少ない容量で、前記ＯＮＵはトラフィックを通信していると判断し、
前記判断に基づき、かつ、前記少なくとも１つのフィールドを介して、前記送受信機のうちの１つを無効化するよう前記ＯＮＵに命令する
ように構成される、請求項１から４のいずれか一項に記載のＯＬＴ。
【請求項６】
前記プロセッサは更に、
前記ＯＬＴは前記第１のチャネルを動作させていないと判断し、
前記判断に基づき、かつ、前記少なくとも１つのフィールドを介して、前記第１のチャネルに対応する前記ＯＮＵの送受信機を無効化するよう前記ＯＮＵに命令する
ように構成される、請求項１から５のいずれか一項に記載のＯＬＴ。
【請求項７】
前記プロセッサは更に、
前記ＯＮＵはアクティブ化プロセスの最中であるとの第１の判断を下し、
前記ＯＮＵ内の複数の送受信機のうちの第１の送受信機が、前記アクティブ化プロセスのための動作中であるとの第２の判断を下し、
前記第１の判断に基づいて、前記第２の判断に基づいて、かつ、前記少なくとも１つのフィールドを介して、前記第１の送受信機を除く前記送受信機のそれぞれを無効化するよう前記ＯＮＵに命令する
ように構成される、請求項１から６のいずれか一項に記載のＯＬＴ。
【請求項８】
前記有効化又は前記無効化の確認を含む第２のメッセージを、前記ＯＮＵから受信するように構成される受信機を更に備える、請求項１から７のいずれか一項に記載のＯＬＴ。
【請求項９】
第１の送信機および第１の受信機を有する第１の送受信機と、
第２の送信機および第２の受信機を有する第２の送受信機と、
前記第１の送受信機および前記第２の送受信機に連結されている、メディアアクセス制御コンポーネント（ＭＡＣコンポーネント）であって、
第１のチャネルおよび第２のチャネルの有効化又は無効化を指示する少なくとも１つのフィールドを含む、光回線終端装置（ＯＬＴ）からの第１のメッセージを処理し、
前記第１の送受信機は前記第１のチャネルに関連付けられていると判断し、
前記少なくとも１つのフィールドに基づいて、前記第１の送信機に有効化又は無効化することを命令し、
前記少なくとも１つのフィールドに基づいて、前記第１の受信機に有効化又は無効化することを命令し、
前記第２の送受信機は前記第２のチャネルに関連付けられていると判断し、
前記少なくとも１つのフィールドに基づいて、前記第２の送信機に有効化又は無効化することを命令し、
前記少なくとも１つのフィールドに基づいて、前記第２の受信機に有効化又は無効化することを命令する
ように構成される、ＭＡＣコンポーネントと
を備える、
光ネットワークユニット（ＯＮＵ）。
【請求項１０】
前記少なくとも１つのフィールドは、オペレーションコードフィールド（オペコードフィールド）と、受信機構成フィールド（Ｒｘ構成フィールド）と、送信機構成フィールド（Ｔｘ構成フィールド）とを含み、前記オペコードフィールドは、前記Ｒｘ構成フィールドに基づいて、有効化又は無効化するよう前記第１の受信機および前記第２の受信機に命令すべく前記ＯＮＵにコマンド指示し、前記オペコードフィールドは、前記Ｔｘ構成フィールドに基づいて、有効化又は無効化するよう前記第１の送信機および前記第２の送信機に命令すべく前記ＯＮＵにコマンド指示する、請求項９に記載のＯＮＵ。
【請求項１１】
前記第１の受信機又は前記第２の受信機は、前記第１のメッセージを受信するように構成される、請求項９又は１０に記載のＯＮＵ。
【請求項１２】
前記第１の受信機および前記第２の受信機は、前記第１のメッセージを受信するように構成される、請求項９から１１のいずれか一項に記載のＯＮＵ。
【請求項１３】
前記ＭＡＣコンポーネントは更に、前記有効化又は前記無効化の確認を含む第２のメッセージを生成するように構成される、請求項９から１２のいずれか一項に記載のＯＮＵ。
【請求項１４】
前記第１の送信機又は前記第２の送信機は、前記第２のメッセージを前記ＯＬＴに送信するように構成される、請求項１３に記載のＯＮＵ。
【請求項１５】
前記第１の送信機および前記第２の送信機は、前記第２のメッセージを前記ＯＬＴに送信するように構成される、請求項１３に記載のＯＮＵ。
【請求項１６】
前記第１のチャネルは第１の波長に対応し、前記第２のチャネルは第２の波長に対応する、請求項１３に記載のＯＮＵ。
【請求項１７】
光回線終端装置（ＯＬＴ）に実装されている方法であって、前記方法は、
光ネットワークユニット（ＯＮＵ）に関連付けられている複数のチャネルのそれぞれを判定する段階と、
前記チャネルの中から第１のチャネルを選択する段階と、
前記第１のチャネルの有効化又は無効化を指示する少なくとも１つのフィールドを含む第１のメッセージを生成する段階と、
前記第１のメッセージを前記ＯＮＵに送信する段階と
を備える、方法。
【請求項１８】
前記ＯＮＵがより高容量でのトラフィックの通信を所望していると判断する段階と、
前記判断に基づき、かつ、前記少なくとも１つのフィールドを介して、前記ＯＮＵ内の送受信機を有効化するよう前記ＯＮＵに命令する段階と
を更に備える、
請求項１７に記載の方法。
【請求項１９】
前記ＯＬＴは第１のチャネルのオペレーションを始めるだろうと判断する段階と、
前記判断に基づき、かつ、前記少なくとも１つのフィールドを介して、前記第１のチャネルに対応する前記ＯＮＵの送受信機を有効化するよう前記ＯＮＵに命令する段階と
を更に備える、
請求項１７又は１８に記載の方法。
【請求項２０】
前記ＯＮＵはアクティブ化プロセスから標準オペレーションに遷移している最中であるとの第１の判断をする段階と、
前記ＯＮＵ内の複数の送受信機のうちの第１の送受信機が、前記アクティブ化プロセスのための動作中であるとの第２の判断をする段階と、
前記第１の判断に基づいて、前記第２の判断に基づいて、かつ、前記少なくとも１つのフィールドを介して、前記複数の送受信機のうちの第２の送受信機を有効化するよう前記ＯＮＵに命令する段階と
を更に備える、
請求項１７から１９のいずれか一項に記載の方法。
【発明の詳細な説明】
【技術分野】
【０００１】
［関連出願の相互参照］
本出願は、「Ｓｅｌｅｃｔｉｖｅ  Ｃｈａｎｎｅｌ  Ｃｏｎｔｒｏｌ  ｉｎ  Ｍｕｌｔｉ−ｃｈａｎｎｅｌ  Ｐａｓｓｉｖｅ  Ｏｐｔｉｃａｌ  Ｎｅｔｗｏｒｋｓ  （ＰＯＮｓ）」と題する、２０１７年３月２９日に出願された米国特許非仮出願第１５／４７３，２７３号明細書に基づく優先権を主張し、当該非仮出願により、「Ｏｐｔｉｃａｌ  Ｎｅｔｗｏｒｋ  Ｕｎｉｔ  （ＯＮＵ）  Ｐｏｗｅｒ  Ｃｏｎｓｅｒｖａｔｉｏｎ  ｉｎ  Ｍｕｌｔｉ−Ｃｈａｎｎｅｌ  Ｐａｓｓｉｖｅ  Ｏｐｔｉｃａｌ  Ｎｅｔｗｏｒｋｓ  （ＰＯＮｓ）」と題する、Ｆｕｔｕｒｅｗｅｉ  Ｔｅｃｈｎｏｌｏｇｉｅｓ  Ｉｎｃ．によって２０１６年４月７日に出願された米国特許仮出願第６２／３１９，５５６号明細書に基づく優先権および利益を主張するものであり、当該仮出願は参照によって本明細書に組み込まれている。
【背景技術】
【０００２】
ＰＯＮはラストマイルにおいてネットワークアクセスを提供するための一システムであって、顧客に通信を届ける電気通信ネットワークの最終の部分である。ＰＯＮは、ＣＯのＯＬＴと、ユーザ宅でのＯＮＵと、ＯＬＴをＯＮＵに連結しているＯＤＮとを含むＰ２ＭＰネットワークである。ＰＯＮはまた、ＯＬＴとＯＮＵとの間、例えば複数の顧客が存在している終端に配置されたＲＮを含んでよい。
【０００３】
ＮＧ−ＰＯＮは、１ユーザあたり十分な帯域幅を有する単一のＯＬＴがより多数のユーザにサービス提供されるよう、ＴＤＭおよびＷＤＭを組み合わせてより高容量をサポートしてよい。そのようなＴＷＤＭ  ＰＯＮにおいて、ＴＤＭ  ＰＯＮの上にＷＤＭ  ＰＯＮが重ねられる。換言すれば、異なる波長が一緒に多重化されて単一のフィーダファイバを共有してよく、また、各波長は、ＴＤＭを使用して複数のユーザによって共有されてよい。
【発明の概要】
【０００４】
一実施形態において、本開示は、メモリと、メモリに連結されているプロセッサであって、ＯＮＵに関連付けられた複数のチャネルのそれぞれを判定し、チャネルの中から第１のチャネルを選択し、第１のチャネルの有効化又は無効化を指示する少なくとも１つのフィールドを含む第１のメッセージを生成するように構成されるプロセッサと、プロセッサに連結されている送信機であって、第１のメッセージをＯＮＵに送信するように構成される送信機とを含む、ＯＬＴを有する。いくつかの実施形態において、チャネルのそれぞれは、ＯＮＵ内の複数の送受信機のうちの１つに関連付けられている。チャネルのそれぞれは、異なる波長に対応する。少なくとも１つのフィールドは、第１のチャネルを特定するＣＨＩＤフィールドを含む。プロセッサは更に、ＯＮＵ内の複数の送受信機の容量よりも少ない容量でＯＮＵはトラフィックを通信していると判断し、その判断に基づき、かつ、少なくとも１つのフィールドを介して、送受信機のうちの１つを無効化することをＯＮＵに命令するように構成される。プロセッサは更に、ＯＬＴは第１のチャネルを動作させていないと判断し、その判断に基づき、かつ、少なくとも１つのフィールドを介して、第１のチャネルに対応するＯＮＵの送受信機を無効化することをＯＮＵに命令するように構成される。プロセッサは更に、ＯＮＵはアクティブ化プロセスの最中であるとの第１の判断を下し、ＯＮＵ内の複数の送受信機のうちの第１の送受信機が、そのアクティブ化プロセスのための動作中であるとの第２の判断を下し、第１の判断に基づいて、第２の判断に基づいて、かつ、少なくとも１つのフィールドを介して、第１の送受信機を除く送受信機のそれぞれを無効化することをＯＮＵに命令するように構成される。ＯＬＴは更に、有効化又は無効化の確認を含む第２のメッセージをＯＮＵから受信するように構成される受信機を含む。
【０００５】
他の実施形態において、本開示は、第１の送信機および第１の受信機を有する第１の送受信機と、第２の送信機および第２の受信機を有する第２の送受信機と、第１の送受信機および第２の送受信機に連結されている、ＭＡＣコンポーネントであって、第１のチャネルおよび第２のチャネルの有効化又は無効化を指示する少なくとも１つのフィールドを含む、ＯＬＴからの第１のメッセージを処理し、第１の送受信機は第１のチャネルに関連付けられていると判断し、少なくとも１つのフィールドに基づいて、第１の送信機に有効化又は無効化することを命令し、少なくとも１つのフィールドに基づいて、第１の受信機に有効化又は無効化することを命令し、第２の送受信機は第２のチャネルに関連付けられていると判断し、少なくとも１つのフィールドに基づいて、第２の送信機に有効化又は無効化することを命令し、少なくとも１つのフィールドに基づいて、第２の受信機に有効化又は無効化することを命令するように構成される、ＭＡＣコンポーネントとを含む、ＯＮＵを有する。いくつかの実施形態において、少なくとも１つのフィールドは、オペコードフィールド、Ｒｘ構成フィールド、およびＴｘ構成フィールドを含み、オペコードフィールドは、Ｒｘ構成フィールドに基づいて、第１の受信機および第２の受信機に有効化又は無効化することを命令すべくＯＮＵにコマンド指示し、オペコードフィールドは、Ｔｘ構成フィールドに基づいて、第１の送信機および第２の送信機に有効化又は無効化することを命令すべくＯＮＵにコマンド指示する。第１の受信機又は第２の受信機は、第１のメッセージを受信するように構成される。第１の受信機および第２の受信機は、第１のメッセージを受信するように構成される。ＭＡＣコンポーネントは更に、有効化又は無効化の確認を含む第２のメッセージを生成するように構成される。第１の送信機又は第２の送信機は、第２のメッセージをＯＬＴに送信するように構成される。第１の送信機および第２の送信機は第２のメッセージをＯＬＴに送信するように構成され、第１のチャネルは第１の波長に対応し、第２のチャネルは第２の波長に対応する。
【０００６】
さらに他の実施形態において、本開示は、ＯＬＴに実装されている方法であって、方法は、ＯＮＵに関連付けられている複数のチャネルのそれぞれを判定する段階と、チャネルの中から第１のチャネルを選択する段階と、第１のチャネルの有効化又は無効化を指示する少なくとも１つのフィールドを含む第１のメッセージを生成する段階と、第１のメッセージをＯＮＵに送信する段階とを含む、方法を有する。いくつかの実施形態において、方法は更に、ＯＮＵがより高容量でのトラフィックの通信を所望していると判断する段階と、その判断に基づき、かつ、少なくとも１つのフィールドを介して、ＯＮＵ内の送受信機を有効化することをＯＮＵに命令する段階とを含む。方法は更に、ＯＬＴが第１のチャネルの動作を始めるだろうと判断する段階と、その判断に基づき、かつ、少なくとも１つのフィールドを介して、第１のチャネルに対応するＯＮＵの送受信機を有効化することをＯＮＵに命令する段階と含む。方法は更に、ＯＮＵがアクティブ化プロセスから標準オペレーションに遷移しているとの第１の判断をする段階と、ＯＮＵ内の複数の送受信機のうちの第１の送受信機が、アクティブ化プロセスのための動作中であるとの第２の判断をする段階と、第１の判断に基づいて、第２の判断に基づいて、および、少なくとも１つのフィールドを介して、複数の送受信機のうちの第２の送受信機を有効化することをＯＮＵに命令する段階とを含む。
【０００７】
上述した実施形態のいずれも、上述した実施形態の他のいずれかと組み合わされて、新たな実施形態を作り出してよい。これらおよび他の特徴は、以下の詳細な説明を添付された図面および特許請求の範囲と併せて読めばより明らかになるだろう。
【図面の簡単な説明】
【０００８】
本開示をより完全に理解するために、ここでは、付属図面及び詳細な説明も併せて、以下の簡潔な説明を参照する。同様の参照番号は、同様の部分を表す。
【０００９】
【図１】ＰＯＮの概略図である。
【００１０】
【図２】ＧＰＯＮにおけるＯＮＵ省電力メカニズムの状態図である。
【００１１】
【図３】ＥＰＯＮにおけるＯＮＵ省電力メカニズムの状態図である。
【００１２】
【図４】送受信機アレイＯＮＵの概略図である。
【００１３】
【図５】本開示の一実施形態に係る、ｅａｒｌｙ  ｗａｋｅ−ｕｐ  ＯＬＴ（アーリー・ウェイクアップＯＬＴ）メッセージである。
【００１４】
【図６】本開示の一実施形態に係る、ｅａｒｌｙ  ｗａｋｅ−ｕｐ  ＯＮＵ（アーリー・ウェイクアップＯＮＵ）メッセージである。
【００１５】
【図７Ａ】本開示の一実施形態に係るｃｈａｎｎｅｌ  ｃｏｎｆｉｇｕｒａｔｉｏｎ  ＭＰＣＰＤＵ（チャネル構成ＭＰＣＰＤＵ）メッセージである。
【００１６】
【図７Ｂ】本開示の一実施形態に係る、図７Ａにおけるｃｈａｎｎｅｌ  ｃｏｎｆｉｇｕｒａｔｉｏｎ  ｐｏｗｅｒ  ｃｏｎｓｅｒｖａｔｉｏｎ  ＭＰＣＰＤＵ（チャネル構成省電力ＭＰＣＰＤＵ）メッセージのＲｘ  ｃｏｎｆｉｇｕｒａｔｉｏｎ  ｆｉｅｌｄ（Ｒｘ構成フィールド）の値を示す。
【００１７】
【図７Ｃ】本開示の一実施形態に係る、図７Ａにおけるｃｈａｎｎｅｌ  ｃｏｎｆｉｇｕｒａｔｉｏｎ  ｐｏｗｅｒ  ｃｏｎｓｅｒｖａｔｉｏｎ  ＭＰＣＰＤＵ（チャネル構成省電力ＭＰＣＰＤＵ）メッセージのＴｘ  ｃｏｎｆｉｇｕｒａｔｉｏｎ  ｆｉｅｌｄ（Ｔｘ構成フィールド）の値を示す。
【００１８】
【図８】本開示の一実施形態に係るｃｈａｎｎｅｌ  ｐｏｗｅｒ  ｃｏｎｔｒｏｌ  ｅＯＡＭＰＤＵ（チャネル電力制御ｅＯＡＭＰＤＵ）メッセージである。
【００１９】
【図９】本開示の一実施形態に係るｃｈａｎｎｅｌ  ｐｏｗｅｒ  ｃｏｎｔｒｏｌ  ｅＭＰＣＰＤＵ（チャネル電力制御ｅＭＰＣＰＤＵ）メッセージである。
【００２０】
【図１０】本開示の一実施形態に係る、ｓｌｅｅｐ  ａｌｌｏｗ（スリープ許可）メッセージである。
【００２１】
【図１１】本開示の一実施形態に係るｓｌｅｅｐ  ｒｅｑｕｅｓｔ（スリープ要求）メッセージである。
【００２２】
【図１２】本開示の一実施形態に係るｃｈａｎｎｅｌ  ｐｏｗｅｒ  ｃｏｎｔｒｏｌ（チャネル電力制御）メッセージである。
【００２３】
【図１３】本開示の一実施形態に係るマルチチャネルＰＯＮにおける選択的なチャネル制御の方法を示すフローチャートである。
【００２４】
【図１４】本開示の一実施形態に係るネットワークデバイスの概略図である。
【発明を実施するための形態】
【００２５】
１又は複数の実施形態の説明的な実装が以下に提供されるが、開示されたシステム及び／又は方法は、現在知られている又は存在している任意の数の技術を用いて実装されてよいことが、最初に理解されるべきである。本開示は、本明細書で例示され説明される代表的な設計及び実装を含んだ、以下に例示される説明的な実装、図面、及び技術に限定されるものでは全くなく、添付の特許請求の範囲内で、その全範囲の等価物と共に変更されてよい。
【００２６】
以下の省略と頭文字が適用される。
Ａｃｔｉｖｉｔｙ＿ｌｅｖｅｌ：アクティビティ・レベル
ＡＳＩＣ：特定用途向け集積回路
ＡＷＧ：アレイ導波路回折格子
ＣＨＩＤ、ＣＨ
ＩＤ：チャネルＩＤ
ＣＯ：中央局
ＣＰＵ：中央処理装置
ｄｅｍｕｘ：デマルチプレクサ
ＤＳＰ：デジタル信号プロセッサ
ｅＭＰＣＰＤＵ：拡張ＭＰＣＰＤＵ
ＥＯ：電気から光へ（ｅｌｅｃｔｒｉｃａｌ−ｔｏ−ｏｐｔｉｃａｌ）
ｅＯＡＭＰＤＵ：拡張オペレーション、管理、および保守プロトコルデータユニット
ＥＰＯＮ：Ｅｔｈｅｒｎｅｔ（登録商標）  ＰＯＮ
ＦＣＳ：フレーム確認シーケンス
ＦＰＧＡ：フィールド・プログラマブル・ゲート・アレイ
ＦＷＩ：強制ウェイクアップ指示
Ｇｂ／ｓ：１秒あたりのギガビット
ＧＰＯＮ：ギガビットＰＯＮ
ＩＴＵ−Ｔ  Ｇ．９８９．３：ＩＴＵ−Ｔ  Ｇ．９８９．３、２０１５年１０月
ＩＤ：識別情報、識別子
ＩＥＥＥ：米国電気電子学会
ＩＥＥＥ  Ｐ１９０４．１：ＩＥＥＥ  Ｐ１９０４．１／Ｄ３．４、２０１３年４月
ＩＴＵ−Ｔ：国際電気通信連合電気通信標準化部門
ＬＯ：局部発振器
ＬＷＩ：局部ウェイクアップ指示
ＭＡＣ：メディアアクセス制御
Ｍｂ／ｓ：１秒あたりのメガビット
ｍｅｓｓａｇｅＩｄ：メッセージＩＤ
ＭＩＣ：メッセージ・インテグリティ・チェック
ＭＰＣＰＤＵ：多地点制御プロトコルデータユニット
ｍｕｘ：マルチプレクサ
ＮＧ−ＥＰＯＮ：次世代ＥＰＯＮ
ＮＧ−ＰＯＮ２：次世代ＰＯＮ２
ＯＡ：光増幅器
ＯＡＭＰＤＵ：オペレーション、管理、および保守プロトコルデータユニット
ＯＤＮ：光分配ネットワーク
ＯＥ：光から電気へ（ｏｐｔｉｃａｌ−ｔｏ−ｅｌｅｃｔｒｉｃａｌ）
ＯＬＴ：光回線終端装置
ＯＮＴ：光ネットワーク端末
ＯＮＵ：光ネットワークユニット
ｏｐｃｏｄｅ：オペレーションコード
ＯＵＩ：組織固有ＩＤ
ＰＬＯＡＭ：物理層オペレーション、管理、および保守
ＰＯＮ：パッシブ光ネットワーク
ＰｏｗｅｒＤｏｗｎＭｏｄｅ：パワーダウンモード
Ｐ２ＭＰ：ポイント・ツー・マルチポイント
ＲＡＭ：ランダムアクセスメモリ
ＲＮ：リモートノード
ＲＯＭ：リードオンリメモリ
Ｒｘ、ＲＸ：受信機、受信機ユニット
ＳｅｑＮｏ：シーケンス番号
ＳＲＡＭ：スタティックランダムアクセスメモリ
ＳＳＤ−ＷＤＭ−ＰＯＮ：単一のスケジューリングドメインＷＤＭ  ＰＯＮ  ＴＣＡＭ：三値連想メモリ
ＴＤＭ：時分割多重化
ＴＤＭＡ：時分割多重アクセス
ＴＬＶ：タイプ−長さ−値
ＴｍｐＳｌｅｅｐＰｅｒｉｏｄ：一時的なスリープ期間
ＴＲｘ：送受信機
ＴＷＤＭ：時分割および波長分割多重化
Ｔｘ、ＴＸ：送信機、送信機ユニット
ＷＤＭ：波長分割多重化
ＷＤＭＡ：波長分割多重アクセス
ＸＧＰＯＮ１：１０Ｇｂ／ｓ  ｃａｐａｂｌｅ  ＰＯＮ１
【００２７】
図１は、ＰＯＮ１００の概略図である。ＰＯＮ１００は、ＯＬＴ１１０と、複数のＯＮＵ１２０と、ＯＬＴ１１０とＯＮＵ１２０とを連結させるＯＤＮ１３０とを含む。ＰＯＮ１００は、ＯＬＴ１１０とＯＮＵ１２０との間にデータを分配するために、アクティブコンポーネントを必要としなくてよい通信ネットワークである。その代わりに、ＰＯＮ１００は、ＯＤＮ１３０内のパッシブ光コンポーネントを使用して、ＯＬＴ１１０とＯＮＵ１２０との間にデータを分配してよい。
【００２８】
ＯＬＴ１１０は、ＯＮＵ１２０および他のネットワークと通信する。具体的には、ＯＬＴ１１０は他のネットワークとＯＮＵ１２０との間の中継器である。例えば、ＯＬＴ１１０は、他のネットワークから受信したデータをＯＮＵ１２０に転送し、ＯＮＵ１２０から受信したデータを他のネットワークに転送する。ＯＬＴ１１０は、１つの送信機及び１つの受信機を含む。他のネットワークが、ＰＯＮ１００において使用されているプロトコルと異なるネットワークプロトコルを使用するとき、ＯＬＴ１１０は、ネットワークプロトコルをＰＯＮプロトコルに、およびその逆も同様に変換する変換器を含む。ＯＬＴ１１０は通常、ＣＯ等の中心の位置に配置されるが、他の好適な位置に配置されてもよい。
【００２９】
ＯＤＮ１３０は、光ファイバケーブル、カプラ、スプリッタ、分配器、および他の好適なコンポーネントを含むデータ分配システムである。コンポーネントは、ＯＬＴ１１０とＯＮＵ１２０との間に信号を分配するために電力を必要としないパッシブ光コンポーネントを含む。代替的に、コンポーネントは、光増幅器等の、電力を必要とするアクティブコンポーネントを含む。ＯＤＮ１３０は、図示されるような分岐構成でＯＬＴ１１０からＯＮＵ１２０に延びているが、ＯＤＮ１３０は他の好適なＰ２ＭＰ構成で構成されてよい。
【００３０】
ＯＮＵ１２０は、ＯＬＴ１１０および顧客と通信し、ＯＬＴ１１０と顧客との間の中継器として動作する。例えば、ＯＮＵ１２０はデータをＯＬＴ１１０から顧客に転送し、データを顧客からＯＬＴ１１０に転送する。ＯＮＵ１２０は、電気信号を光信号に変換して、光信号をＯＬＴ１１０に送信する光送信機を含み、ＯＮＵ１２０は、ＯＬＴ１１０からの光信号を受信して、光信号を電気信号に変換する光受信機を含む。ＯＮＵ１２０は更に、顧客に電気信号を送信する第２の送信機と、顧客から電気信号を受信する第２の受信機とを含む。ＯＮＵ１２０およびＯＮＴは同様であって、これらの用語は同義語として使用されてよい。ＯＮＵ１２０は通常、顧客宅等の分散された位置に配置されるが、他の好適な位置に配置されてもよい。
【００３１】
図２は、ＧＰＯＮにおけるＯＮＵ省電力メカニズム２００の状態図である。ＯＮＵ１２０は、ＯＮＵ省電力メカニズム２００を実装する。ＯＮＵ省電力メカニズム２００は、次の６つの状態を含む。ａｃｔｉｖｅ  ｈｅｌｄ  ｓｔａｔｅ（アクティブ保持状態）２１０、ａｃｔｉｖｅ  ｆｒｅｅ  ｓｔａｔｅ（アクティブフリー状態）２２０、ｓｌｅｅｐ  ａｗａｒｅ  ｓｔａｔｅ（スリープ・アウェア状態）２３０、ａｓｌｅｅｐ  ｓｔａｔｅ（スリープ状態）２４０、ｄｏｚｅ／ｗａｔｃｈ  ａｗａｒｅ  ｓｔａｔｅ（ドーズ／ウォッチ・アウェア状態）２５０、および、ｌｉｓｔｅｎ／ｗａｔｃｈ  ｓｔａｔｅ（リッスン／ウォッチ状態）２６０である。
【００３２】
ＯＮＵ１２０がリッスン・ウォッチ状態２６０であるとき、かつ、ＯＮＵ１２０がＦＷＩ又はＬＷＩを受信するとき、ＯＮＵ１２０はアクティブ保持状態２１０になり、送信機をオンにする。ＯＮＵ１２０がアクティブ保持状態２１０又はアクティブフリー状態２２０であるとき、かつ、ＯＮＵ１２０のトラフィックが少ないとき、ＯＮＵ１２０はスリープ状態２４０又はリッスン／ウォッチ状態２６０のいずれかになるが、そのどちらも低電力状態である。スリープ状態２４０およびリッスン／ウォッチ状態２６０において、ＯＮＵ１２０の送信機はオフであるが、ＯＮＵ１２０の受信機は定期的にオンになりＦＷＩを確認する。しかしながら、ＯＮＵ１２０は受信機を長時間オフに出来ない。これは、そうでなければＦＷＩを逃してしまい得るからである。
【００３３】
図３は、ＥＰＯＮにおけるＯＮＵ省電力メカニズム３００の状態図である。ＯＮＵ１２０はＯＮＵ省電力メカニズム３００を実装する。ＯＮＵ省電力メカニズム３００は、標準モード３１０および省電力モード３２０の２つのモードを含む。
【００３４】
１つのＯＮＵ１２０が標準モード３１０で始まり、スリープ制御ＴＬＶ３５０を受信すると省電力モード３２０に変わり、ウェイクアップＴＬＶ３６０を送信すると標準モード３１０に戻る。省電力モード３２０において、ＯＮＵ１２０は、送信機がオンであるアクティブ状態３３０と、送信機がオフであるスリープ状態３４０とに交互になる。しかしながら、送信機がオフであるスリープ状態３４０であっても、受信機は定期的にオンになりゲートＭＰＣＰＤＵメッセージを確認する。ＯＮＵ１２０がゲートＭＰＣＰＤＵメッセージを逃してしまった場合、ＯＬＴ１１０にすぐに応答出来ず、従ってＰＯＮ１００のオペレーションが遅延する。
【００３５】
ＩＴＵ−Ｔ  ｓｔｕｄｙ  ｇｒｏｕｐ  １５は、ＩＴＵ−Ｔ  Ｇ．９８９．１の単一の波長チャネル容量が提供するより大きい高データレートを提案している。そのようなデータレートは、複数のＯＮＵ１２０が同時に、２つ又はそれ以上の波長において動作することが必要とされる。ＩＥＥＥは、ＮＧ−ＥＰＯＮとして、ＳＳＤ−ＷＤＭ−ＰＯＮおよび波長アジャイルＰＯＮを含む、少なくとも３つのアーキテクチャを提案している。それらのＰＯＮはまた、複数のＯＮＵ１２０が同時に、２つ又はそれ以上の波長において動作することが必要とされる。２つ又はそれ以上の波長において動作するためには、ＯＮＵ１２０が送受信機アレイＯＮＵであってよい。送受信機アレイＯＮＵは複数の送受信機を有するＯＮＵを指すが、この場合、複数の送受信機は異なる波長において動作する。しかしながら、各送受信機は電力を消費するので、送受信機が能動的に送信又は受信をしないときは、電力を不必要に消費してしまう。ＯＮＵ省電力メカニズム２００およびＯＮＵ省電力メカニズム３００は、単一の送信機と単一の受信機のみを有するＯＮＵ用であり、送受信機アレイＯＮＵに対応しない。
【００３６】
本明細書において開示されているのは、マルチチャネルＰＯＮにおける選択的なチャネル制御の実施形態である。実施形態は、選択的に個々の送受信機をオンおよびオフにする送受信機アレイＯＮＵのメカニズムを提供する。「オンにすること」は、「アクティブ化」および「有効化」と同義語として使用されてよく、「オフにすること」は、「非アクティブ化」および「無効化」と同義語として使用されてよい。本文脈において、チャネルが波長に関連付けられている。例えば、アクティブチャネルを使用して、ＯＬＴがメッセージをＯＮＵに送信する。メッセージは、個々の非アクティブな送受信機、又はその送受信機内の送信機若しくは受信機に、オン又はオフになるように知らせる波長チャネルＩＤ情報を含む。ＯＬＴが複数の送受信機をオン又はオフにすることをＯＮＵに命令することを所望する場合、ＯＬＴは、それらの送受信機のそれぞれに対して異なるメッセージを送信するか、それらの送受信機のうちの複数に対してメッセージを送信するか、又は、全ての送受信機に対して単一のメッセージを送信する。個々の送受信機をオフにすることによって、ＯＮＵは電力を節約してよい。従って、送受信機をオフにすることを命令するメッセージが省電力制御メッセージと呼ばれてよい。チャネルは波長に関連付けられているとして説明されてきたが、他のコンセプトに関連付けられてもよい。４つの送受信機を有するＯＮＵが説明されてきたが、開示された実施形態は、任意の数の送受信機を有するＯＮＵにあてはまる。
【００３７】
図４は、送受信機アレイＯＮＵ４００の概略図である。ＯＮＵ４００は、ＯＮＵ１２０のうちの１つを実装してよい。ＯＮＵ４００は、λ０と表されるチャネル０において動作する送受信機４１０と、λ１と表されるチャネル１において動作する送受信機４２０と、λ２と表されるチャネル２において動作する送受信機４３０と、λ３と表されるチャネル３において動作する送受信機４４０と、送受信機４１０〜４４０に連結されているＭＡＣコンポーネント４５０とを含む。各チャネルは、関連付けられたチャネルＩＤを有する。一例として、送受信機４１０〜４４０のそれぞれ、およびそれらに対応するチャネルは、１０Ｇｂ／ｓの容量を有する。従って、４つ全ての送受信機４１０〜４４０を使用すると、ＯＮＵ４００は４０Ｇｂ／ｓの容量を有する。
【００３８】
送受信機４１０〜４４０は、１つの送信機及び１つの受信機を含む。送信機は、ＭＡＣコンポーネント４５０からの電気信号を受信し、電気信号を光信号に変換し、光信号を図１のＯＬＴ１１０に送信する。受信機はＯＬＴ１１０からの光信号を受信し、光信号を電気信号に変換し、電気信号をＭＡＣコンポーネント４５０に渡す。ＭＡＣコンポーネント４５０は電気信号を処理し、その処理結果に応じてＯＮＵ４００に命令する。例えば、オフになるよう送受信機４１０に命令する省電力制御メッセージを受信すると、ＭＡＣコンポーネント４５０は、送受信機４１０にオフになるよう命令する。ＯＮＵ４００は４つの送受信機４１０〜４４０を含むとして示されているが、ＯＮＵ４００は任意の適切な数の送受信機を有してよい。
【００３９】
少なくとも以下の３つのケースにおいて、ＯＮＵ４００は、送受信機４１０〜４４０のうちの任意の数の送受信機を選択的にオン又はオフにしてよい。以下のケースを実装するためのメッセージは、後述する図に関連して説明される。ＯＬＴ１１０およびＯＮＵ４００は、任意の適切な方式で以下のケースを実装する。例えば、ＯＬＴ１１０は、チャネルのアクティブ化又は非アクティブ化を実行するようＯＮＵ４００に命令し、ＯＮＵ４００はそれに従い、従ったことの確認をＯＬＴ１１０に任意選択で提供する。代替的に、ＯＮＵ４００はチャネルのアクティブ化又は非アクティブ化を要求し、ＯＬＴ１１０は許可を与えるか又は与えず、ＯＮＵ４００は従ったことの確認をＯＬＴ１１０に任意選択で提供する。代替的に、ＯＮＵ４００は一方的にチャネルのアクティブ化又は非アクティブ化を実行し、ＯＬＴ１１０に任意選択で通知する。
【００４０】
第１のケースにおいて、ＯＮＵ４００への／からのトラフィックが、送受信機４１０〜４４０のうちの３つの容量を合わせた容量よりも少ない。ＯＮＵ４００は、送受信機４１０〜４４０のうちの１つ、例えば送受信機４１０をオフにする。ＯＬＴ１１０は、その旨をＯＮＵ４００に命令してよい。この後トラフィックが多くなるか、又はより高容量での通信をＯＮＵ４００が所望する場合、ＯＮＵ４００は送受信機４１０をオンにしてよい。
【００４１】
第２のケースにおいて、ＯＬＴ１１０は、４つ全てのチャネルよりも少ない数のチャネルを動作させる。ＯＬＴ１１０は、ＯＬＴ１１０が動作させているチャネルをＯＮＵ４００に通知する。ＯＮＵ４００は、ＯＬＴ１１０が動作させているのではないチャネルに対応する送受信機４１０〜４４０を、オフにする。ＯＬＴ１１０は、その旨をＯＮＵ４００に命令してよい。この後ＯＬＴ１１０がそれらのチャネルを動作させる場合、ＯＮＵ４００はそれらのチャネルに対応する送受信機４１０〜４４０をオンにしてよい。
【００４２】
第３のケースにおいて、トラフィックが非常に少ないか、又はＯＮＵ４００がアクティブ化プロセスの最中であるとき、ＯＮＵ４００は送受信機４１０〜４４０のうちの１つ、例えば送受信機４１０のみをオンにする。送受信機４１０は、ウェイクアップ・メッセージ、アクティブ化メッセージ、および他のメッセージの全てを処理する。ＯＬＴ１１０は、ＯＮＵ４００はアクティブ化プロセスの最中であると判断し、送受信機４１０を、送受信機４１０〜４４０のうちで唯一動作中の送受信機と判断し、残りの送受信機４２０〜４４０を無効化するようＯＮＵ４００に命令してよい。ＯＮＵ４００がアクティブ化プロセスから標準オペレーションに遷移する場合、ＯＮＵ４００は追加の送受信機４１０〜４４０をオンにしてよい。
【００４３】
図５は、本開示の一実施形態に係る、ｅａｒｌｙ  ｗａｋｅ−ｕｐ  ＯＬＴ（アーリー・ウェイクアップＯＬＴ）メッセージ５００である。アーリー・ウェイクアップＯＬＴメッセージ５００は、参照によって組み込まれているＩＥＥＥ  Ｐ１９０４．１に説明されているＯＡＭＰＤＵ構造を実装してよい。ＯＬＴ１１０は、ＰＯＮ１００がＥＰＯＮであるとき、アーリー・ウェイクアップＯＬＴメッセージ５００をＯＮＵ４００に送信する。
【００４４】
アーリー・ウェイクアップＯＬＴメッセージ５００は、可変値を有する２１オクテットのｅＯＡＭＰＤＵヘッダフィールド５１０と、０ｘＦＣの値を有する１オクテットのオペコードフィールド５２０と、ＯＮＵチャネルＩＤに対応する値を有する１オクテットのＣＨＩＤフィールド５３０と、０ｘ００…００の値を有する３７オクテットのｐａｄ  ｆｉｅｌｄ（パッドフィールド）５４０と、可変値を有する４オクテットのＦＣＳフィールド５５０とを含む。フィールドは、他の好適なサイズおよび値を含んでよい。オペコードフィールド５２０は、ＣＨＩＤフィールド５３０に対応する送受信機４１０〜４４０に、スリープ状態（例えば、スリープ・アウェア状態２３０、又はスリープ状態２４０）を離脱して、アクティブ状態（例えば、図２のアクティブ保持状態２１０、又はアクティブフリー状態２２０のいずれか）になるよう命令すべく、ＯＮＵ４００にコマンド指示する。ＣＨＩＤフィールド５３０の値は、ＯＮＵチャネルＩＤ、具体的には、チャネル０、チャネル１、チャネル２、又はチャネル３を示す。ＭＡＣコンポーネント４５０は、チャネルＩＤに対応する送受信機４１０〜４４０を判定し、送受信機４１０〜４４０にスリープ状態から離脱して、アクティブ状態になるよう命令する。
【００４５】
図６は、本開示の一実施形態に係る、ｅａｒｌｙ  ｗａｋｅ−ｕｐ  ＯＮＵ（アーリー・ウェイクアップＯＮＵ）メッセージ６００である。アーリー・ウェイクアップＯＮＵメッセージ６００は更に、ＩＥＥＥ  Ｐ１９０４．１に説明されているＯＡＭＰＤＵ構造を実装してよい。ＯＮＵ４００は、ＰＯＮ１００がＥＰＯＮであって、かつ、アーリー・ウェイクアップＯＬＴメッセージ５００を受信したことに対して、それに応答するとき、アーリー・ウェイクアップＯＮＵメッセージ６００をＯＬＴ１１０に送信する。
【００４６】
アーリー・ウェイクアップＯＮＵメッセージ６００は、可変値を有する２１オクテットのｅＯＡＭＰＤＵヘッダフィールド６１０と、０ｘＦＤの値を有する１オクテットのオペコードフィールド６２０と、ＯＮＵチャネルＩＤに対応する値を有する１オクテットのＣＨＩＤフィールド６３０と、０ｘ００…００の値を有する３７オクテットのパッドフィールド６４０と、可変値を有する４オクテットのＦＣＳフィールド６５０とを含む。フィールドは、他の好適なサイズおよび値を含んでよい。オペコードフィールド６２０は、スリープ状態のままにされた、およびアクティブ状態になったＣＨＩＤフィールド６３０に対応する、ＯＮＵ４００の送受信機４１０〜４４０を示す。ＣＨＩＤフィールド６３０の値は、ＯＮＵチャネルＩＤ、従って、ＯＮＵチャネルＩＤに対応する送受信機４１０〜４４０を示す。
【００４７】
図７Ａは、本開示の一実施形態に係るチャネル構成省電力ＭＰＣＰＤＵメッセージ７００である。チャネル構成省電力ＭＰＣＰＤＵメッセージ７００は、参照によって組み込まれているＩＥＥＥ８０２．３，Ｓｅｃｔｉｏｎ  Ｆｉｖｅ，２０１２に説明されるＭＰＣＰＤＵ構造を実装してよい。ＯＬＴは、ＰＯＮ１００がＥＰＯＮであるとき、チャネル構成省電力ＭＰＣＰＤＵメッセージ７００をＯＮＵ４００に送信する。
【００４８】
チャネル構成省電力ＭＰＣＰＤＵメッセージ７００は、６オクテットの宛先アドレスフィールド７０５と、６オクテットのソースアドレスフィールド７１０と、２オクテットの長さ／タイプフィールド７１５および０ｘ８８０８の値と、２オクテットのオペコードフィールド７２０および０ｘ０００９の値と、４オクテットのタイムスタンプフィールド７２５と、１オクテットのＲｘ構成フィールド７３０と、１オクテットのＴｘ構成フィールド７３５と、３８オクテットのパッドフィールド７４０と、４オクテットのＦＣＳフィールド７４５とを含む。フィールドは、他の好適なサイズおよび値を含んでよい。オペコードフィールド７２０は、送受信機４１０〜４４０の受信機に、Ｒｘ構成フィールド７３０に応じてオン又はオフになるよう命令すべくＯＮＵ４００にコマンド指示し、オペコードフィールド７２０は、送受信機４１０〜４４０の送信機に、Ｔｘ構成フィールド７３５に応じてオン又はオフになるよう命令すべくＯＮＵ４００にコマンド指示する。
【００４９】
図７Ｂは、本開示の一実施形態に係る、図７Ａにおけるｃｈａｎｎｅｌ  ｃｏｎｆｉｇｕｒａｔｉｏｎ  ｐｏｗｅｒ  ｃｏｎｓｅｒｖａｔｉｏｎ  ＭＰＣＰＤＵ（チャネル構成省電力ＭＰＣＰＤＵ）メッセージ７００のＲｘ  ｃｏｎｆｉｇｕｒａｔｉｏｎ  ｆｉｅｌｄ（Ｒｘ構成フィールド）７３０の値を示す。図７Ｂの値は、送受信機４１０〜４４０の各受信機が有し得る、オフ状態およびオン状態の様々な組み合わせを示す。例えば、Ｒｘ構成フィールド７３０用の値０１１０は、送受信機４１０の受信機をオフにし、送受信機４２０の受信機をオンにし、送受信機４３０の受信機をオンにし、送受信機４４０の受信機をオフにするよう、ＯＮＵ４００にコマンド指示する。
【００５０】
図７Ｃは、本開示の一実施形態に係る、図７Ａにおけるｃｈａｎｎｅｌ  ｃｏｎｆｉｇｕｒａｔｉｏｎ  ｐｏｗｅｒ  ｃｏｎｓｅｒｖａｔｉｏｎ  ＭＰＣＰＤＵ（チャネル構成省電力ＭＰＣＰＤＵ）メッセージ７００のＴｘ  ｃｏｎｆｉｇｕｒａｔｉｏｎ  ｆｉｅｌｄ（Ｔｘ構成フィールド）７３５の値を示す。図７Ｃの値は、送受信機４１０〜４４０の各受信機と各送信機が有し得る、オフ状態およびオン状態の様々な組み合わせを示す。例えば、Ｔｘ構成フィールド７３５用の値０１１０は、送受信機４１０の送信機をオフにし、送受信機４２０の送信機をオンにし、送受信機４３０の送信機をオンにし、送受信機４４０の送信機をオフにするよう、ＯＮＵ４００にコマンド指示する。
【００５１】
図８は、本開示の一実施形態に係るチャネル電力制御ｅＯＡＭＰＤＵメッセージ８００である。チャネル電力制御ｅＯＡＭＰＤＵメッセージ８００は、ＩＥＥＥ  Ｐ１９０４．１に説明されているｅＯＡＭＰＤＵ構造を実装してよい。ＯＬＴ１１０は、ＰＯＮ１００がＥＰＯＮであるとき、チャネル電力制御ｅＯＡＭＰＤＵメッセージ８００をＯＮＵ４００に送信する。
【００５２】
チャネル電力制御ｅＯＡＭＰＤＵメッセージ８００は、可変値を有する２１オクテットのｅＯＡＭＰＤＵヘッダフィールド８１０と、０ｘＡＡの値を有する１オクテットのオペコードフィールド８２０と、０ｘ００又は０ｘ０１のいずれかの値を有する１オクテットのモードフィールド８３０と、ＯＮＵチャネルＩＤに対応する値を有する１オクテットのＣＨＩＤフィールド８４０と、０ｘ００…００の値を有する３６オクテットのパッドフィールド８５０と、可変値を有する４オクテットのＦＣＳフィールド８６０とを含む。フィールドは、他の好適なサイズおよび値を含んでよい。モードフィールド８３０は、ＣＨＩＤフィールド８４０に対応する送受信機４１０〜４４０にオン又はオフになるよう命令すべく、ＯＮＵ４００にコマンド指示する。ＣＨＩＤフィールド８４０の値は、ＯＮＵチャネルＩＤを示す。
【００５３】
図９は、本開示の一実施形態に係るチャネル電力制御ｅＭＰＣＰＤＵメッセージ９００である。チャネル電力制御ｅＭＰＣＰＤＵメッセージ９００は、ＩＥＥＥ  Ｐ１９０４．１に説明されているｅＭＰＣＰＤＵ構造を実装してよい。ＯＬＴ１１０は、ＰＯＮ１００がＥＰＯＮであるとき、チャネル電力制御ｅＭＰＣＰＤＵメッセージ９００をＯＮＵ４００に送信する。
【００５４】
チャネル電力制御ｅＭＰＣＰＤＵメッセージ９００は、ＭＡＣマルチキャスト・アドレスに対応する０ｘ０１−８０−Ｃ２−００−００−１の値を有する６オクテットの宛先アドレスフィールド９０５と、ＯＬＴ１１０のＭＡＣアドレスに対応する値を有する６オクテットのソースアドレスフィールド９１０と、０ｘ００−０８の値を有する２オクテットの長さ／タイプフィールド９１５と、０ｘＦＦ−ＦＥの値を有する２オクテットのオペコードフィールド９２０と、ＯＵＩ＿Ｂの値を有する３オクテットのＯＵＩフィールド９２５と、０ｘ１２の値を有する１オクテットのメッセージＩＤフィールド９３０と、０ｘ００、０ｘ０１、０ｘ０２、又は０ｘ０３の値を有する１オクテットのパワーダウンモードフィールド９３５と、０ｘＦＦＦＦの値を有する２オクテットの一時的なスリープ期間フィールド９４０と、チャネルＩＤに対応する値を有する１オクテットのＣＨＩＤフィールド９４５と、可変値を有する３５オクテットのパッドフィールド９５０と、可変値を有する４オクテットのＦＣＳフィールド９５５とを含む。フィールドは、他の好適なサイズおよび値を含んでよい。一時的なスリープ期間フィールド９４０は、ＣＨＩＤフィールド９４５に対応する送受信機４１０〜４４０にオフになるよう命令すべく、ＯＮＵ４００にコマンド指示する。ＣＨＩＤフィールド９４５の値は、ＯＮＵチャネルＩＤを示す。
【００５５】
図１０は、本開示の一実施形態に係る、スリープ許可メッセージ１０００である。スリープ許可メッセージ１０００は、参照によって組み込まれているＩＴＵ−Ｔ  Ｇ．９８９．３に説明されているスリープ許可構造を実装してよい。ＯＬＴ１１０は、ＰＯＮ１００がＧＰＯＮ、ＮＧ−ＰＯＮ２、又はＸＧＰＯＮ１であるとき、スリープ許可メッセージ１０００をＯＮＵ４００に送信する。
【００５６】
スリープ許可メッセージ１０００は、０ｘ０３ＦＦの値を有する１〜２オクテットのＯＮＵ−ＩＤフィールド１０１０と、０ｘ０１の値を有する３オクテットの０ｘ１２フィールド１０２０と、ユニキャスト又はブロードキャストＰＬＯＡＭシーケンス番号に対応する値を有する４オクテットのシーケンス番号フィールド１０３０と、０又は１のＡ値を有する５オクテットの００００  ０００Ａフィールド１０４０と、チャネルＩＤに対応する値を有する６オクテットのＣＨ  ＩＤフィールド１０５０と、０ｘ００の値を有する７〜４０オクテットのパディングフィールド（ｐａｄｄｉｎｇ  ｆｉｅｌｄ）１０６０と、メッセージ・インテグリティ・チェックを提供する値を有する４１〜４８オクテットのＭＩＣフィールド１０７０とを含む。フィールドは、他の好適なサイズおよび値を含んでよい。００００  ０００Ａフィールド１０４０は、ＯＮＵ４００が、スリープ状態になるよう、ＣＨ  ＩＤフィールド１０５０に対応する送受信機４１０〜４４０に命令してよいかどうかを示す。ＣＨ  ＩＤフィールド１０５０の値は、ＯＮＵチャネルＩＤを示す。
【００５７】
図１１は、本開示の一実施形態に係るスリープ要求メッセージ１１００である。スリープ要求メッセージ１１００は、ＩＴＵ−Ｔ  Ｇ．９８９．３に説明されているスリープ要求構造を実装してよい。ＯＮＵ４００は、ＰＯＮ１００がＧＰＯＮ、ＮＧ−ＰＯＮ２、又はＸＧＰＯＮ１であるとき、スリープ要求メッセージ１１００をＯＬＴ１１０に送信する。
【００５８】
スリープ要求メッセージ１１００は、ＯＮＵ  ＩＤに対応する値を有する１〜２オクテットのＯＮＵ−ＩＤフィールド１１１０と、０ｘ１０の値を有する３オクテットの０ｘ１０フィールド１１２０と、０の値を有する４オクテットのシーケンス番号フィールド１１３０と、０、１、又は２の値を有する５オクテットのアクティビティ・レベルフィールド１１４０と、チャネルＩＤに対応する値を有する６オクテットのＣＨ  ＩＤフィールド１１５０と、０ｘ００の値を有する７〜４０オクテットのパディングフィールド１１６０と、メッセージ・インテグリティ・チェックを提供する値を有する４１〜４８オクテットのＭＩＣフィールド１１７０とを含む。フィールドは、他の好適なサイズおよび値を含んでよい。ＣＨ  ＩＤフィールド１１５０の値は、ＯＮＵ４００がスリープ状態を所望するＯＮＵチャネルＩＤ、従って、対応する送受信機４１０〜４４０を示す。
【００５９】
図１２は、本開示の一実施形態に係るチャネル電力制御メッセージ１２００である。チャネル電力制御メッセージ１２００はＩＴＵ−Ｔ  Ｇ．９８９．３におけるＰＬＯＡＭメッセージであってよい。ＯＬＴ１１０は、ＰＯＮ１００がＧＰＯＮ、ＮＧ−ＰＯＮ２、又はＸＧＰＯＮ１であるとき、チャネル電力制御メッセージ１２００をＯＮＵ４００に送信する。
【００６０】
チャネル電力制御メッセージ１２００は、０ｘ０３ＦＦの値を有する１〜２オクテットのＯＮＵ−ＩＤフィールド１２１０と、０ｘＦＡの値を有する３オクテットの０ｘＦＡフィールド１２２０と、ユニキャスト又はブロードキャストＰＬＯＡＭシーケンス番号に対応する値を有する４オクテットのシーケンス番号フィールド１２３０と、０又は１を含むＡの値を有する５オクテットの００００  ０００Ａフィールド１２４０と、波長チャネルＩＤに対応する値を有する６オクテットのＣＨ  ＩＤフィールド１２５０と、０ｘ００の値を有する７〜４０オクテットのパディングフィールド１２６０と、メッセージ・インテグリティ・チェックを提供する４１〜４８オクテットのＭＩＣフィールド１２７０とを含む。フィールドは、他の好適なサイズおよび値を含んでよい。００００  ０００Ａフィールド１２４０は、ＣＨ  ＩＤフィールド１２５０に対応する送受信機４１０〜４４０にオン又はオフになるよう命令すべく、ＯＮＵ４００にコマンド指示する。ＣＨ  ＩＤフィールド１２５０の値は、ＯＮＵチャネルＩＤを示す。
【００６１】
図１３は、本開示の一実施形態に係るマルチチャネルＰＯＮにおける選択的なチャネル制御の方法１３００を示すフローチャートである。ＯＬＴ１１０は、方法１３００を実装する。段階１３１０において、ＯＮＵに関連付けられた複数のチャネルのそれぞれが判定される。例えば、ＯＬＴ１１０は、ＯＮＵ４００はチャネル０〜３を使用して通信をすると判断する。段階１３２０において、複数のチャネルの中から第１のチャネルが選択される。例えば、ＯＬＴ１１０はチャネル０を選択する。段階１３３０において、第１のチャネルの有効化又は無効化を指示する少なくとも１つのフィールドを含む、第１のメッセージが生成される。例えば、ＯＬＴ１１０はオペコードフィールド７２０、Ｒｘ構成フィールド７３０、およびＴｘ構成フィールド７３５を含むチャネル構成省電力ＭＰＣＰＤＵメッセージ７００を生成する。最後に、段階１３４０において、第１のメッセージはＯＮＵに送信される。例えば、ＯＬＴ１１０は、チャネル構成省電力ＭＰＣＰＤＵメッセージ７００をＯＮＵ４００に送信する。
【００６２】
図１４は、本開示の一実施形態に係るネットワークデバイス１４００の概略図である。デバイス１４００は、開示された実施形態を実装する。デバイス１４００は、データを受信するための入口ポート１４１０およびＲＸ１４２０と、データを処理する、プロセッサ、論理ユニット、又はＣＰＵ１４３０と、データを送信するためのＴＸ１４４０および出口ポート１４５０と、データを格納するためのメモリ１４６０とを含む。デバイス１４００はまた、入口ポート１４１０に連結されているＯＥコンポーネントおよびＥＯコンポーネント、ＲＸ１４２０、ＴＸ１４４０、光信号の入口／出口用の出口ポート１４５０を含んでよい。
【００６３】
プロセッサ１４３０は、ハードウェア、ミドルウェア、ファームウェア、又はソフトウェアの任意の組み合わせである。プロセッサ１４３０は、１又は複数のＣＰＵチップ、コア、ＦＰＧＡ、ＡＳＩＣ、又はＤＳＰの任意の組み合わせを含む。プロセッサ１４３０は、入口ポート１４１０、ＲＸ１４２０、ＴＸ１４４０、出口ポート１４５０、およびメモリ１４６０と通信する。プロセッサ１４３０は、開示された実施形態を実装するチャネルモディファイヤ１４７０を含む。従って、チャネルモディファイヤ１４７０を含むことにより、デバイス１４００の機能性に実質的な改善をもたらし、デバイス１４００を異なる状態に変換させる。代替的に、メモリ１４６０は、チャネル復旧コンポーネント１４７０を命令として格納し、プロセッサ１４３０はその命令を実行する。
【００６４】
メモリ１４６０は、ディスク、テープドライブ、又はソリッドステートドライブの任意の組み合わせを含む。デバイス１４００は、メモリ１４６０をオーバフローデータストレージデバイスとして使用し、実行用のプログラムをデバイス１４００が選択するときそのプログラムを格納し、そのプログラムの実行中にデバイス１４００が読み出す命令およびデータを格納してよい。メモリ１４６０は揮発性又は不揮発性であってよく、また、ＲＯＭ、ＲＡＭ、ＴＣＡＭ、又はＳＲＡＭの任意の組み合わせであってよい。
【００６５】
例示実施形態において、ＯＬＴは、メモリ要素と、メモリ要素に連結されているプロセッサ要素であって、ＯＮＵに関連付けられた複数のチャネルのそれぞれを判定し、チャネルの中から第１のチャネルを選択し、第１のチャネルの有効化又は無効化を指示する少なくとも１つのフィールドを含む第１のメッセージを生成するように構成されるプロセッサ要素と、プロセッサ要素に連結されている送信機であって、第１のメッセージをＯＮＵに送信するように構成される送信機とを含む。
【００６６】
例示実施形態において、デバイス１４００は、光ネットワークユニット（ＯＮＵ）に関連付けられた複数のチャネルのそれぞれを判定するチャネル判定モジュールと、チャネルの中から第１のチャネルを選択するチャネル選択モジュールと、第１のチャネルの有効化又は無効化を指示する少なくとも１つのフィールドを含む第１のメッセージを生成する第１のメッセージモジュールと、第１のメッセージをＯＮＵに送信する送信モジュールとを含む。いくつかの実施形態において、デバイス１４００は、実施形態において説明される段階のいずれか１つ、又はそれらの組み合わせを実行するための、他の又は追加のモジュールを含んでよい。更に、図のいずれかに示されるか、又は特許請求の範囲のいずれかに記載されるように、方法の追加又は代替の実施形態又は態様のいずれかはまた、同様のモジュールを含むものと考えられる。
【００６７】
本開示においていくつかの実施形態が提供されたが、開示されたシステム及び方法は、本発明の主旨又は範囲から逸脱することなく、他の多数の具体的な形態で具体化され得ることが理解されるであろう。本例は、限定的なものではなく、例示的なものと見なされるべきであり、本明細書に提供される詳細に限定する意図は無い。例えば、様々な要素又はコンポーネントが別のシステム内において組み合わされ得るか、若しくは、統合され得る。又は、特定の特徴は省略され得るか、若しくは、実装されないことがあり得る。
【００６８】
加えて、様々な実施形態において、ディスクリート又は別個のものとして説明及び示される技法、システム、サブシステム、及び方法は、本開示の範囲を逸脱することなく、他のシステム、コンポーネント、技法、又は方法と組み合わされ得るか、又は統合され得る。連結されている、若しくは直接連結されているか、又は、互いに通信するものとして示されているか、又は説明されている他の項目は、電気的であれ、機械的であれ、又は他の方式であれ、いくつかのインタフェース、デバイス、又は仲介コンポーネントを介して、間接的に連結又は通信し得る。変更、置き換え、及び修正の他の例は、当業者によって確認可能であり、それらは、本明細書において開示される思想及び範囲から逸脱することなく行われ得る。
【図１】
2019511885.tif 000003
【図２】
2019511885.tif 000004
【図３】
2019511885.tif 000005
【図４】
2019511885.tif 000006
【図５】
2019511885.tif 000007
【図６】
2019511885.tif 000008
【図７Ａ】
2019511885.tif 000009
【図７Ｂ】
2019511885.tif 000010
【図７Ｃ】
2019511885.tif 000011
【図８】
2019511885.tif 000012
【図９】
2019511885.tif 000013
【図１０】
2019511885.tif 000014
【図１１】
2019511885.tif 000015
【図１２】
2019511885.tif 000016
【図１３】
2019511885.tif 000017
【図１４】
2019511885.tif 000018
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
メモリと、
前記メモリに連結されているプロセッサであって、
光ネットワークユニット（ＯＮＵ）に関連付けられた複数のチャネルのそれぞれを判定し、
前記複数のチャネルの中から第１のチャネルを選択し、
前記第１のチャネルの有効化又は無効化を指示する少なくとも１つのフィールドを含む第１のメッセージを生成する
ように構成されるプロセッサと、
前記プロセッサに連結されている送信機であって、前記第１のメッセージを前記ＯＮＵに送信するように構成される送信機と
を備える、
光回線終端装置（ＯＬＴ）。
【請求項２】
前記複数のチャネルのそれぞれは、前記ＯＮＵ内の複数の送受信機のうちの１つに関連付けられている、請求項１に記載のＯＬＴ。
【請求項３】
前記複数のチャネルのそれぞれは異なる波長に対応する、請求項１又は２に記載のＯＬＴ。
【請求項４】
前記少なくとも１つのフィールドは、前記第１のチャネルを特定するチャネル特定（ＣＨＩＤ）フィールドを含む、請求項１から３のいずれか一項に記載のＯＬＴ。
【請求項５】
前記プロセッサは更に、
前記ＯＮＵ内の複数の送受信機の容量よりも少ない容量で、前記ＯＮＵはトラフィックを通信していると判断し、
前記判断に基づき、かつ、前記少なくとも１つのフィールドを介して、前記複数の送受信機のうちの１つを無効化するよう前記ＯＮＵに命令する
ように構成される、請求項１から４のいずれか一項に記載のＯＬＴ。
【請求項６】
前記プロセッサは更に、
前記ＯＮＵはアクティブ化プロセスの最中であるとの第１の判断を下し、
前記ＯＮＵ内の複数の送受信機のうちの第１の送受信機が、前記アクティブ化プロセスのための動作中であるとの第２の判断を下し、
前記第１の判断に基づいて、前記第２の判断に基づいて、かつ、前記少なくとも１つのフィールドを介して、前記第１の送受信機を除く前記複数の送受信機のそれぞれを無効化するよう前記ＯＮＵに命令する
ように構成される、請求項１から５のいずれか一項に記載のＯＬＴ。
【請求項７】
第１の送信機および第１の受信機を有する第１の送受信機と、
第２の送信機および第２の受信機を有する第２の送受信機と、
前記第１の送受信機および前記第２の送受信機に連結されている、メディアアクセス制御コンポーネント（ＭＡＣコンポーネント）であって、
第１のチャネルおよび第２のチャネルの有効化又は無効化を指示する少なくとも１つのフィールドを含む、光回線終端装置（ＯＬＴ）からの第１のメッセージを処理し、
前記第１の送受信機は前記第１のチャネルに関連付けられていると判断し、
前記少なくとも１つのフィールドに基づいて、前記第１の送信機に有効化又は無効化することを命令し、
前記少なくとも１つのフィールドに基づいて、前記第１の受信機に有効化又は無効化することを命令し、
前記第２の送受信機は前記第２のチャネルに関連付けられていると判断し、
前記少なくとも１つのフィールドに基づいて、前記第２の送信機に有効化又は無効化することを命令し、
前記少なくとも１つのフィールドに基づいて、前記第２の受信機に有効化又は無効化することを命令する
ように構成される、ＭＡＣコンポーネントと
を備える、
光ネットワークユニット（ＯＮＵ）。
【請求項８】
前記少なくとも１つのフィールドは、オペレーションコードフィールド（オペコードフィールド）と、受信機構成フィールド（Ｒｘ構成フィールド）と、送信機構成フィールド（Ｔｘ構成フィールド）とを含み、前記オペコードフィールドは、前記Ｒｘ構成フィールドに基づいて、有効化又は無効化するよう前記第１の受信機および前記第２の受信機に命令すべく前記ＯＮＵにコマンド指示し、前記オペコードフィールドは、前記Ｔｘ構成フィールドに基づいて、有効化又は無効化するよう前記第１の送信機および前記第２の送信機に命令すべく前記ＯＮＵにコマンド指示する、請求項７に記載のＯＮＵ。
【請求項９】
前記第１の受信機又は前記第２の受信機は、前記第１のメッセージを受信するように構成される、請求項７又は８に記載のＯＮＵ。
【請求項１０】
前記第１の受信機および前記第２の受信機は、前記第１のメッセージを受信するように構成される、請求項７から９のいずれか一項に記載のＯＮＵ。
【請求項１１】
前記ＭＡＣコンポーネントは更に、前記有効化又は前記無効化の確認を含む第２のメッセージを生成するように構成される、請求項７から１０のいずれか一項に記載のＯＮＵ。
【請求項１２】
光回線終端装置（ＯＬＴ）に実装されている方法であって、前記方法は、
光ネットワークユニット（ＯＮＵ）に関連付けられている複数のチャネルのそれぞれを判定する段階と、
前記複数のチャネルの中から第１のチャネルを選択する段階と、
前記第１のチャネルの有効化又は無効化を指示する少なくとも１つのフィールドを含む第１のメッセージを生成する段階と、
前記第１のメッセージを前記ＯＮＵに送信する段階と
を備える、方法。
【請求項１３】
前記ＯＮＵがより高容量でのトラフィックの通信を所望していると判断する段階と、
前記判断に基づき、かつ、前記少なくとも１つのフィールドを介して、前記ＯＮＵ内の送受信機を有効化するよう前記ＯＮＵに命令する段階と
を更に備える、
請求項１２に記載の方法。
【請求項１４】
前記ＯＬＴは第１のチャネルのオペレーションを始めるだろうと判断する段階と、
前記判断に基づき、かつ、前記少なくとも１つのフィールドを介して、前記第１のチャネルに対応する前記ＯＮＵの送受信機を有効化するよう前記ＯＮＵに命令する段階と
を更に備える、
請求項１２又は１３に記載の方法。
【請求項１５】
前記ＯＮＵはアクティブ化プロセスから標準オペレーションに遷移している最中であるとの第１の判断をする段階と、
前記ＯＮＵ内の複数の送受信機のうちの第１の送受信機が、前記アクティブ化プロセスのための動作中であるとの第２の判断をする段階と、
前記第１の判断に基づいて、前記第２の判断に基づいて、かつ、前記少なくとも１つのフィールドを介して、前記複数の送受信機のうちの第２の送受信機を有効化するよう前記ＯＮＵに命令する段階と
を更に備える、
請求項１２から１４のいずれか一項に記載の方法。
【手続補正２】
【補正対象書類名】明細書
【補正対象項目名】００６８
【補正方法】変更
【補正の内容】
【００６８】
加えて、様々な実施形態において、ディスクリート又は別個のものとして説明及び示される技法、システム、サブシステム、及び方法は、本開示の範囲を逸脱することなく、他のシステム、コンポーネント、技法、又は方法と組み合わされ得るか、又は統合され得る。連結されている、若しくは直接連結されているか、又は、互いに通信するものとして示されているか、又は説明されている他の項目は、電気的であれ、機械的であれ、又は他の方式であれ、いくつかのインタフェース、デバイス、又は仲介コンポーネントを介して、間接的に連結又は通信し得る。変更、置き換え、及び修正の他の例は、当業者によって確認可能であり、それらは、本明細書において開示される思想及び範囲から逸脱することなく行われ得る。
［項目１］
メモリと、
上記メモリに連結されているプロセッサであって、
光ネットワークユニット（ＯＮＵ）に関連付けられた複数のチャネルのそれぞれを判定し、
上記チャネルの中から第１のチャネルを選択し、
上記第１のチャネルの有効化又は無効化を指示する少なくとも１つのフィールドを含む第１のメッセージを生成するように構成されるプロセッサと、
上記プロセッサに連結されている送信機であって、上記第１のメッセージを上記ＯＮＵに送信するように構成される送信機とを備える、
光回線終端装置（ＯＬＴ）。
［項目２］
上記チャネルのそれぞれは、上記ＯＮＵ内の複数の送受信機のうちの１つに関連付けられている、項目１に記載のＯＬＴ。
［項目３］
上記チャネルのそれぞれは異なる波長に対応する、項目１又は２に記載のＯＬＴ。
［項目４］
上記少なくとも１つのフィールドは、上記第１のチャネルを特定するチャネル特定（ＣＨＩＤ）フィールドを含む、項目１から３のいずれか一項に記載のＯＬＴ。
［項目５］
上記プロセッサは更に、
上記ＯＮＵ内の複数の送受信機の容量よりも少ない容量で、上記ＯＮＵはトラフィックを通信していると判断し、
上記判断に基づき、かつ、上記少なくとも１つのフィールドを介して、上記送受信機のうちの１つを無効化するよう上記ＯＮＵに命令するように構成される、
項目１から４のいずれか一項に記載のＯＬＴ。
［項目６］
上記プロセッサは更に、
上記ＯＬＴは上記第１のチャネルを動作させていないと判断し、
上記判断に基づき、かつ、上記少なくとも１つのフィールドを介して、上記第１のチャネルに対応する上記ＯＮＵの送受信機を無効化するよう上記ＯＮＵに命令するように構成される、
項目１から５のいずれか一項に記載のＯＬＴ。
［項目７］
上記プロセッサは更に、
上記ＯＮＵはアクティブ化プロセスの最中であるとの第１の判断を下し、
上記ＯＮＵ内の複数の送受信機のうちの第１の送受信機が、上記アクティブ化プロセスのための動作中であるとの第２の判断を下し、
上記第１の判断に基づいて、上記第２の判断に基づいて、かつ、上記少なくとも１つのフィールドを介して、上記第１の送受信機を除く上記送受信機のそれぞれを無効化するよう上記ＯＮＵに命令するように構成される、
項目１から６のいずれか一項に記載のＯＬＴ。
［項目８］
上記有効化又は上記無効化の確認を含む第２のメッセージを、上記ＯＮＵから受信するように構成される受信機を更に備える、項目１から７のいずれか一項に記載のＯＬＴ。
［項目９］
第１の送信機および第１の受信機を有する第１の送受信機と、
第２の送信機および第２の受信機を有する第２の送受信機と、
上記第１の送受信機および上記第２の送受信機に連結されている、メディアアクセス制御コンポーネント（ＭＡＣコンポーネント）であって、
第１のチャネルおよび第２のチャネルの有効化又は無効化を指示する少なくとも１つのフィールドを含む、光回線終端装置（ＯＬＴ）からの第１のメッセージを処理し、
上記第１の送受信機は上記第１のチャネルに関連付けられていると判断し、
上記少なくとも１つのフィールドに基づいて、上記第１の送信機に有効化又は無効化することを命令し、
上記少なくとも１つのフィールドに基づいて、上記第１の受信機に有効化又は無効化することを命令し、
上記第２の送受信機は上記第２のチャネルに関連付けられていると判断し、
上記少なくとも１つのフィールドに基づいて、上記第２の送信機に有効化又は無効化することを命令し、
上記少なくとも１つのフィールドに基づいて、上記第２の受信機に有効化又は無効化することを命令するように構成される、
ＭＡＣコンポーネントとを備える、
光ネットワークユニット（ＯＮＵ）。
［項目１０］
上記少なくとも１つのフィールドは、オペレーションコードフィールド（オペコードフィールド）と、受信機構成フィールド（Ｒｘ構成フィールド）と、送信機構成フィールド（Ｔｘ構成フィールド）とを含み、上記オペコードフィールドは、上記Ｒｘ構成フィールドに基づいて、有効化又は無効化するよう上記第１の受信機および上記第２の受信機に命令すべく上記ＯＮＵにコマンド指示し、上記オペコードフィールドは、上記Ｔｘ構成フィールドに基づいて、有効化又は無効化するよう上記第１の送信機および上記第２の送信機に命令すべく上記ＯＮＵにコマンド指示する、項目９に記載のＯＮＵ。
［項目１１］
上記第１の受信機又は上記第２の受信機は、上記第１のメッセージを受信するように構成される、項目９又は１０に記載のＯＮＵ。
［項目１２］
上記第１の受信機および上記第２の受信機は、上記第１のメッセージを受信するように構成される、項目９から１１のいずれか一項に記載のＯＮＵ。
［項目１３］
上記ＭＡＣコンポーネントは更に、上記有効化又は上記無効化の確認を含む第２のメッセージを生成するように構成される、項目９から１２のいずれか一項に記載のＯＮＵ。
［項目１４］
上記第１の送信機又は上記第２の送信機は、上記第２のメッセージを上記ＯＬＴに送信するように構成される、項目１３に記載のＯＮＵ。
［項目１５］
上記第１の送信機および上記第２の送信機は、上記第２のメッセージを上記ＯＬＴに送信するように構成される、項目１３に記載のＯＮＵ。
［項目１６］
上記第１のチャネルは第１の波長に対応し、上記第２のチャネルは第２の波長に対応する、項目１３に記載のＯＮＵ。
［項目１７］
光回線終端装置（ＯＬＴ）に実装されている方法であって、上記方法は、
光ネットワークユニット（ＯＮＵ）に関連付けられている複数のチャネルのそれぞれを判定する段階と、
上記チャネルの中から第１のチャネルを選択する段階と、
上記第１のチャネルの有効化又は無効化を指示する少なくとも１つのフィールドを含む第１のメッセージを生成する段階と、
上記第１のメッセージを上記ＯＮＵに送信する段階とを備える、
方法。
［項目１８］
上記ＯＮＵがより高容量でのトラフィックの通信を所望していると判断する段階と、
上記判断に基づき、かつ、上記少なくとも１つのフィールドを介して、上記ＯＮＵ内の送受信機を有効化するよう上記ＯＮＵに命令する段階とを更に備える、
項目１７に記載の方法。
［項目１９］
上記ＯＬＴは第１のチャネルのオペレーションを始めるだろうと判断する段階と、
上記判断に基づき、かつ、上記少なくとも１つのフィールドを介して、上記第１のチャネルに対応する上記ＯＮＵの送受信機を有効化するよう上記ＯＮＵに命令する段階とを更に備える、
項目１７又は１８に記載の方法。
［項目２０］
上記ＯＮＵはアクティブ化プロセスから標準オペレーションに遷移している最中であるとの第１の判断をする段階と、
上記ＯＮＵ内の複数の送受信機のうちの第１の送受信機が、上記アクティブ化プロセスのための動作中であるとの第２の判断をする段階と、
上記第１の判断に基づいて、上記第２の判断に基づいて、かつ、上記少なくとも１つのフィールドを介して、上記複数の送受信機のうちの第２の送受信機を有効化するよう上記ＯＮＵに命令する段階とを更に備える、
項目１７から１９のいずれか一項に記載の方法。
【国際調査報告】
2019511885.tif 000019
2019511885.tif 000020